(57)【要約】【課題】写真プリントの被写体など、画像を構成する構成体の質感を好適に表現した高品位なハードコピーの作成方法を提供する。【解決手段】画像記録面に画像を記録し、その後、画像を構成する構成体の素材に応じて予め作成された凹凸形状データを用いて、指示された領域に対して透明コート層を形成することにより、前記課題を解決する。【選択図】図１
2004181743.tif 000002
【特許請求の範囲】
【請求項１】
画像記録面に画像を記録し、その後、画像を構成する構成体の素材に応じて予め作成された凹凸形状データを用いて、指示された領域に対して透明コート層を形成することを特徴とするハードコピー作成方法。
【請求項２】
前記画像の記録は、デジタルの画像データに応じて画像記録手段を変調することにより行うものであり、前記領域の指示のために、この画像データを可視像として再生した画像を表示する請求項１に記載のハードコピー作成方法。
【請求項３】
前記指示された領域に対する透明コート層の形成は、前記画像データの解析による領域抽出結果に応じて行う請求項２に記載のハードコピー作成方法。
【請求項４】
前記凹凸形状データが、金属調素材、樹脂調素材、布調素材、および木調素材の１以上の素材に対応して作成されている請求項１〜３のいずれかに記載のハードコピー作成方法。
【請求項５】
前記凹凸形状データが、前記透明コート層の凹凸の高さの差、前記透明コート層の凹凸の形成周波数、前記透明コート層の凹凸の形成密度、前記透明コート層の凹凸の凝集パターン、および前記透明コート層の厚さの１以上の情報を有するものである請求項１〜４のいずれかに記載のハードコピー作成方法。
【発明の詳細な説明】
【０００１】
【発明の属する技術分野】
本発明は写真プリントなどのハードコピー作成の技術分野に属し、詳しくは、画像を構成する構成体の質感を好適に表現した、高品位なハードコピーの作成方法に関する。
【０００２】
【従来の技術】
写真プリントや各種のプリンタで出力したハードコピーなどの質感を向上して、付加価値の高い製品を作成するために、各種の提案が行われている。
例えば、特許文献１には、昇華染料が塗布された転写紙を用いるサーマルプリンタ装置において、転写紙に昇華染料とは異なる材料で形成した領域を設け、この領域を介して画像を再加熱することにより、所望の光沢もしくは艶消しを有する記録画像を作成できるサーマルプリンタ装置が開示されている。
【０００３】
また、特許文献２には、熱転写印刷装置によるハードコピーの作成において、反射光の状態が大および小の２つの状態となるように被写体を撮像し、反射光が大の状態から小の状態を減算してなる光沢信号を生成すると共に、前記被写体を同じ撮像手段で画像信号化して再生したハードコピーを作成し、さらに、光沢信号に応じてハードコピーを再加熱することにより、印刷画像の光沢性に準じて自由に光沢を表現する方法が開示されている。
【０００４】
【特許文献１】
特開平３−１９０７７８号公報
【特許文献２】
特開平８−３９８４１号公報
【０００５】
【発明が解決しようとする課題】
これらの方法によれば、ハードコピーに再生した画像に光沢性や非光沢性を付与することができる。
しかしながら、特許文献１に開示される方法は、昇華染料とは異なる領域を介して、昇華染料からなる画像を再加熱することにより、画像に光沢もしくは艶消しを付与するためものであり、他方、特許文献２に開示される方法は、画像を形成する色材を溶融することによって、それぞれ、画像に光沢を付与するものである。
【０００６】
そのため、両者とも、画像の所望部分に光沢を与えることはできても、画像を構成する構成体の質感として表現できるのは、光沢（すなわち画像構成体の光反射性）のみであり、これ以外の質感を表現することはできない。
【０００７】
本発明の目的は、前記従来技術の問題点を解決することにあり、写真プリントなどのハードコピーにおいて、金属、布、木など、画像を構成する構成体の質感を好適に表現することができる、高品位なハードコピーの作成方法を提供することにある。
【０００８】
【課題を解決するための手段】
前記目的を達成するために、本発明は、画像記録面に画像を記録し、その後、画像を構成する構成体の素材に応じて予め作成された凹凸形状データを用いて、指示された領域に対して透明コート層を形成することを特徴とするハードコピー作成方法を提供する。
【０００９】
このような本発明のハードコピーの作成方法において、前記画像の記録は、デジタルの画像データに応じて画像記録手段を変調することにより行うものであり、前記領域の指示は、この画像データを可視像として再生した画像を用いて行うのが好ましく、この際には、前記指示された領域に対する透明コート層の形成は、前記画像データの解析による領域抽出結果に応じて行うのが好ましい。
また、前記凹凸形状データが、金属調素材、樹脂調素材、布調素材、および木調素材の１以上の素材に対応して作成されているのが好ましく、さらに、前記凹凸形状データが、前記透明コート層の凹凸の高さの差、前記透明コート層の凹凸の形成周波数、前記透明コート層の凹凸の形成密度、前記透明コート層の凹凸の凝集パターン、および前記透明コート層の厚さの１以上の情報を有するものであるのが好ましい。
【００１０】
【発明の実施の形態】
以下、本発明のハードコピー作成方法について、添付の図面に示される好適実施例を基に、詳細に説明する。
【００１１】
図１に、本発明のハードコピー作成方法を写真プリントに利用した、高品位プリント１０の一例の模式的断面図を示す。
本発明によるハードコピーは、基本的に、写真プリント１２などの画像を記録された基となる記録媒体に、透明コート層１４を形成してなるものであり、かつ、この透明コート層１４が、記録媒体に記録した画像を構成する構成体の素材に応じた微細な凹凸を有する。本発明においては、このような微細な凹凸を有する透明コート層１４によって、画像を構成する構成体の質感を表現する。
【００１２】
なお、本発明において、ハードコピーの基となる記録媒体は、図示例の写真プリント１２に限定はされず、これ以外にも、各種の印刷物、インクジェットプリンタや電子写真プリンタなどの各種のプリンタで出力したハードコピー等、各種のハードコピーが、全て利用可能である。
【００１３】
また、透明コート層１４の形成材料にも、特に限定はなく、透明で記録媒体に記録された画像の観察を妨げないものであれば、（メタ）アクリル系の樹脂、相変化インク、重合性インク等の各種の材料が利用可能である。
このような画像に応じた凹凸を有する透明コート層１４は、その形成材料等に応じた各種の方法で形成可能である。
【００１４】
図２に、本発明のハードコピー作成方法を実施して高品位プリント１０を作成する、デジタルフォトプリントシステムの一例のブロック図が示される。
【００１５】
図２に示されるデジタルフォトプリントシステム２０（以下、プリントシステム２０とする）は、（写真）フィルムＦに撮影された画像を光電的に読み取り、あるいは、デジタルカメラ等で撮影された画像の画像データ（画像ファイル）を取得して、写真プリント１２を出力し、これに透明コート層１４を形成して本発明の作成方法による高品位プリント１０とするもので、基本的に、スキャナ２２、画像処理装置２４、プリンタ２６、および透明コート層形成手段２８とを有して構成される。
また、画像処理装置２４には、検定画像の表示等を行うためのディスプレイ３０、および、各種の指示等を行う操作系３２（キーボード３２ａおよびマウス３２ｂ）が接続される。
【００１６】
スキャナ２２は、フィルムＦの各コマに撮影された画像を光電的に読み取る装置で、図３の概念図に示すように、光源３６、ドライバ３８、拡散ボックス４０、キャリア４２、結像レンズユニット４４、読取部４６、アンプ（増幅器）４８、およびＡ／Ｄ（アナログ／デジタル）変換器５０を有して構成される。
【００１７】
図示例のスキャナ２２において、光源３６は、ＬＥＤ（Ｌｉｇｈｔ  Ｅｍｉｔｔｉｎｇ  Ｄｉｏｄｅ）を利用するもので、Ｒ（赤）光、Ｇ（緑）光およびＢ（青）光の各読取光を出射する３種のＬＥＤが配列されて構成される。このような光源３６は、ドライバ３８によって駆動され、Ｒ、ＧおよびＢの各読取光が、順次、出射される。
拡散ボックス４０は、読取光をフィルムＦの面方向で均一にするもので、例えば、内面ミラーの四角柱と、四角柱の一面を閉塞する拡散板等で構成される。
【００１８】
キャリア４２は、フィルムＦを断続的に搬送して、フィルムＦに撮影された各コマ（各画像）を、順次、所定の読取位置に搬送／保持するもので、１３５サイズ用やＡＰＳ（ＩＸ２４０）用など、フィルムＦのサイズや種類に応じた複数種が用意され、スキャナ２２の本体に着脱自在に構成される。
【００１９】
図示例において、キャリア４２は、基本的に、搬送ローラ対５２ａおよび５２ｂと、所定の読取位置において各コマの読取領域を規制するマスク５４、およびフィルムＦの押え部材としても作用するマスク５６とを有して構成される。
搬送ローラ対５２ａおよび５２ｂは、公知の（写真）フィルム用の搬送ローラ対で、所定の読取位置をフィルムＦの搬送方向に挟んで配置される。図示例のスキャナ２２は、面露光で画像読取を行うので、搬送ローラ対５２ａおよび５２ｂは、フィルムＦを長手方向に断続的に搬送することにより、フィルムＦに撮影された各コマを１コマずつ、順次、読取位置に搬送する。
【００２０】
読取位置に位置されたコマを通過した光（画像を担持する投影光）は、結像レンズユニット４４に入射する。結像レンズユニット４４は、フィルムＦの投影光を読取部４６（エリアＣＣＤセンサの受光面）に結像するものである。
読取部４６は、エリアＣＣＤセンサを用いて、フィルムＦに撮影された画像を光電的に読み取るもので、キャリア４２のマスク４２で規制された１コマの全面を読み取る（面露光による画像読取）。
読取部４６からの画像信号は、アンプ４８で増幅され、Ａ／Ｄ変換器５０によってデジタルの画像信号に変換されて、画像処理装置２４に出力される。
【００２１】
このようなスキャナ２２において、フィルムＦを読み取る際には、まず、キャリア４２によってフィルムＦを搬送し、読み取りを行うコマを読取位置に搬送し、停止する。
次いで、ドライバ３８による作用の下、例えば、光源３６のＲのＬＥＤを駆動して、Ｒ光を出射する。Ｒ光は、拡散ボックス４０でフィルムＦの面方向で光量を均一にされた後、読取位置に保持されるコマに入射、透過して、このコマに撮影された画像を担持する投影光となる。この投影光は、結像レンズユニット４４によって読取部４６に結像され、このコマのＲ画像が光電的に読み取られる。
以下、同様にして、光源３６のＧおよびＢのＬＥＤを、順次、発光して、このコマのＧ画像およびＢ画像の読み取りを行う。
【００２２】
１コマの読み取りを終了したら、キャリア４２によってフィルムＦを搬送して、次に読み取るコマを読取位置に搬送して、停止し、同様に読み取りを行うことを繰り返し、フィルムＦの全コマの読み取りを行う。
【００２３】
ここで、各コマの読み取りは、写真プリント１２の出力のために高解像度で画像を読み取るファインスキャンと、ファインスキャンの読取条件や画像処理装置２４（画像処理部７０等）における画像処理条件を決定するために、ファインスキャンに先立って行われる、低解像度での画像読取であるプレスキャンとの、２回の画像読取が行われる。
【００２４】
本発明を実施するプリントシステム２０において、スキャナは、図示例に限定はされず、公知のスキャナが全て利用可能である。
従って、図示例のような３原色のＬＥＤ光源ではなく、白色光源と３原色のフィルタを用いて、３原色の読取光をフィルムに入射するものであってもよい。また、エリアＣＣＤセンサを用いた面露光による読み取りを行うスキャナ以外にも、ラインＣＣＤセンサを用いて、スリット走査によってフィルムＦを光電的に読み取るスキャナであってもよい。
【００２５】
前述のように、スキャナ２２から出力されたデジタルの画像信号は、画像処理装置２４に出力される。
画像処理装置２４は、スキャナ２２から送られた画像信号や、デジタルカメラ等による撮影画像の画像データ（画像ファイル）に、所定の画像処理を施して、出力用の画像データとするものである。
【００２６】
図示例において、画像処理装置２４は、図４のブロック図に示されるように、基本的に、信号処理部５８、プレスキャン（フレーム）メモリ６０、ファインスキャン（フレーム）メモリ６２、入力処理部６４、セットアップ部６６、検定処理部６８、画像処理部７０、ならびに、データ変換部７２および７４を有して構成される。
また、前述のように、画像処理装置２４には、ディスプレイ３０および操作系３２（キーボード３２ａおよびマウス３２ｂ）が接続される。
【００２７】
スキャナ２２から送られた画像信号は、信号処理部５８に送られる。
信号処理部５８は、供給された画像信号に、暗時補正、ＤＣオフセット補正、シェーディング補正等の所定の信号補正を施した後、ルックアップテーブル（以下、ＬＵＴとする）等を用いてｌｏｇ変換して、画像（濃度）データとする。
信号処理部５８は、処理したプレスキャンの画像データ（以下、プレスキャンデータとする）をプレスキャンメモリ６０（以下、ｐＦＭ６０とする）に、同ファンスキャンの画像データ（以下、ファインスキャンデータとする）をファインスキャンメモリ６２（以下、ｆＦＭ６２とする）に送り、記憶させる。
【００２８】
前述のように、プリントシステム２０は、デジタルカメラ等で撮影された画像の画像データからも写真プリント１２の作成を行うことができる。
デジタルカメラで撮影された画像の画像データ（画像ファイル）は、通常、スマートメディアＴＭやコンパクトフラッシュＴＭ等の記録媒体に記録される。この画像データからの写真プリント１２の作成を行う場合には、プリントシステム２０に接続された図示しない読取手段によって記録媒体を読み取り、画像データを入力処理部６４に送る。
入力処理部６４は、供給された画像データをプリントシステム２０に対応する画像データに変換して、この画像データをファインスキャンデータとしてｆＦＭ６２に記憶させ、また、ファインスキャンデータを間引いてプレスキャンデータを生成して、ｐＦＭ６０に記憶させる。
【００２９】
セットアップ部６６は、ｐＦＭ６０が記憶したプレスキャンデータを読み出して、画像解析を行って、ファインスキャンの読取条件を決定してスキャナ２２に送り、また、検定処理部６８および画像処理部７０における画像処理条件を決定する。なお、ファインスキャンの読取条件および画像処理条件の設定は、公知の方法によればよい。
また、セットアップ部６６は、検定の際にオペレータによる画像の修正が入った場合には、それに応じて、検定処理部６８および画像処理部７０における画像処理条件を修正する。
【００３０】
さらに、セットアップ部６６は、高品位プリント１０の作成を行う際には、画像の領域抽出を行って画像を構成する構成体を抽出し、各構成体の位置情報（写真プリント上における、構成体の領域情報）を生成する。また、後述するように、オペレータによって素材が指定された構成体について、その位置情報と素材情報とを対応付けして、透明コート層１４の形成情報（凹凸形成情報）として透明コート層形成手段２８に送る。
なお、領域抽出は、色相・彩度・明度などを用いる方法、画素の連続性を用いる方法、画像のエッジ検出等を利用して、画像解析による公知の方法で行えばよい。また、領域抽出は、ディスプレイ３０の表示画像（例えば、検定画像）を利用してオペレータによる切り出しに応じて行ってもよく、画像解析と表示画像の切り出しとを併用してもよい。
【００３１】
検定処理部６８は、ｐＦＭ６０からプレスキャンデータを読み出し、所定の画像処理を施して、検定画像（仕上がり予測画像）の画像データ（以下、検定画像データとする）とし、データ変換部７２に送るものである。また、図示例においては、検定画像（検定画面）は、透明コート層１４の形成指示の入力画面も兼ねており、検定処理部６８は、ＧＵＩ（Ｇｒａｐｈｉｃａｌ  Ｕｓｅｒ  Ｉｎｔｅｒｆａｃｅ）等によって、透明コート層１４で素材を指定する構成体の指定や、この構成体に対して、後述する布調素材などの各種素材の指定を行うように、検定画像を作成する。
なお、検定処理部６８におけるプレスキャンデータの画像処理は、後述する画像処理部７０における画像処理に準じた検定画像の生成に対応するものであり、画像処理条件も、基本的に、画像処理部７０と同じである。
【００３２】
検定画像データを供給されたデータ変換部７２は、これを三次元（３Ｄ）−ＬＵＴ等で変換して、ディスプレイ３０による画像表示に応じた画像データとし、検定画像として、ディスプレイ３０に表示する。
【００３３】
他方、画像処理部７０は、ｆＦＭ６２からファインスキャンデータを読み出し、画像処理を施して、プリント画像などの出力画像に対応する画像データ（以下、出力画像データとする）として、データ変換部７４等に送るものである。
画像処理部７０で施す画像処理には、特に限定はなく、電子変倍処理（拡大／縮小処理）、階調変換、色／濃度補正、シャープネス処理（鮮鋭化処理）、覆い焼き処理（画像濃度ダイナミックレンジの圧縮処理）等が例示される。
【００３４】
データ変換部７４は、画像処理部７０から供給された出力画像データを３Ｄ−ＬＵＴ等によって変換して、プリンタ２６による画像記録（感光材料（印画紙）の露光）に対応する画像データにするものである。
【００３５】
データ変換部７４で変換された画像データは、プリンタ２６に出力される。プリントシステム２０において、プリンタ２６は、公知のデジタルの写真プリンタである。
一例として、感光材料（印画紙）を露光する焼付機と、露光済みの感光材料に現像処理を施す現像機（プロセサ）とからなるプリンタ（プリンタ／プロセサ）が例示される。焼付機は、画像処理装置２４（データ変換部７４）から出力された画像データに応じてＲ，ＧおよびＢの各光ビームを変調し、この光ビームを主走査方向に偏向して所定の記録位置に入射すると共に、この記録位置において、主走査方向と直交する副走査方向に感光材料を搬送することにより、感光材料を二次元的に走査露光して潜像を記録する。他方、現像機は、露光済みの感光材料を焼付機から受け取り、現像、漂白／定着、水洗等の所定の湿式現像処理を施して、乾燥して、（仕上がり）写真プリント１２として出力する。
【００３６】
図示例のプリントシステム２０においては、通常の写真プリント作成の場合には、このままプリンタ２６から写真プリント１２を出力する。他方、本発明のプリント作成方法を実施して高品位プリント１０の作成を行う場合には、プリンタが出力した写真プリント１２を透明コート層形成手段２８に供給する。
なお、透明コート層形成手段２８への写真プリント１２の供給方法には、特に限定はなく、オペレータが透明コート層形成手段２８の所定位置に写真プリント１２を装填するようにしてもよく、公知のシート状物の搬送手段などを用いて、写真プリント１２をプリンタ２６から透明コート層形成手段２８に自動的に供給するようにしてもよい。
【００３７】
透明コート層形成手段２８は、写真プリント１２の表面に透明コート層１４を形成して、高品位プリント１０とするものである。
前述のように、透明コート層１４は、画像を構成する構成体の領域に、その構成体の素材に応じた微細な凹凸を有することにより、画像を構成する構成体（図示例では、写真プリントであるので被写体）の質感を表現する。
透明コート層形成手段２８は、セットアップ部６６から送られた透明コート層１４の形成情報（位置情報および素材情報）に応じて、指定された構成体の領域に、指定された素材に応じた凹凸を有する透明コート層１４を形成する。
【００３８】
ここで、透明コート層１４は、図示例のように、写真プリント１２や印刷物などの記録媒体の表面（画像記録面上）に形成するのに限定はされず、例えば、画像材料の表面に光沢層や艶消し層などを形成し、その上に透明コート層１４を形成してもよい。
また、透明コート層１４は、写真プリント１２などの記録媒体の全面（画像記録面の全域）を覆って形成し、指定された領域のみ素材に応じた凹凸を有するものであってもよく、あるいは、画像中の構成体の領域のみに対応して形成してもよく、あるいは、後述するようにオペレータによって素材の指示が出された構成体の領域のみに対応して形成してもよい。さらに、透明コート層１４自身も、形成領域の全域を覆うものに限定はされず、部分的に画像記録面などの下面が露出するものであってもよく、また、独立した凸部を多数形成することによって、凹凸状としたものでもよい。
【００３９】
図示例においては、構成体の素材として、金属調素材、樹脂調素材、布調素材、および木調素材の４種が設定されており、各素材に対応する凹凸の形状が予め設定され、凹凸形状データとしてデータテーブル８０に設定されている。
透明コート層形成手段２８は、指定された素材に応じた凹凸形状データをデータテーブル８０から読み出して、写真プリント１２の指定された領域（構成体）に透明コート層１４を形成する。
【００４０】
透明コート層１４の微細な凹凸による質感の表現は、一例として、凹凸の高さの差（Ｒｚ（最大高さ）あるいはＲａ（算術平均粗さ））、凹部や凸部の形成周波数、凹部や凸部の形成の密度、凹部や凸部の凝集パターン、および、透明コート層１４の厚さの１以上を、各素材に応じて設定することにより行う。
具体的には、金属調素材であれば、例えば、Ｒｚを０μｍ〜５μｍ、凹凸形状の凸周期が１００μｍ〜２００μｍの透明コート層１４を形成すれば、効果的に素材の質感を表現できる。
また、樹脂調素材であれば、例えば、Ｒｚを０μｍ〜２μｍ、凹凸形状の凸周期が５０μｍ〜２００μｍの透明コート層１４を形成すれば、効果的に素材の質感を表現できる。
また、布調素材であれば、例えば、Ｒｚを８μｍ〜１２μｍ、凹凸形状の凸周期が３００μｍ〜４００μｍの透明コート層１４を形成すれば、効果的に素材の質感を表現できる。
さらに、木調素材であれば、例えば、Ｒｚを１０μｍ〜１５μｍ、凹凸形状の凸周期が２００μｍ〜４００μｍの透明コート層１４を形成すれば、効果的に素材の質感を表現できる。
図示例においては、このような凹凸形状のデータが、透明コート層形成手段２８のデータテーブル８０に記憶されている。
【００４１】
本発明において、透明コート層形成手段２８には、特に限定はなく、上記したような凹凸を有する透明コート層１４を形成できるものであれば、透明コート層１４の形成材料に応じた、各種の手段が利用可能である。
好適な一例として、インクジェットによる画像記録方法を利用して、透明コート層１４を形成する材料の液滴を打滴し、指定された領域に、指定された素材に対応する凹凸を形成するように吐出量を変調して、透明コート層１４を形成する形成手段が例示される。
一例として、特公平４−７４１９３号公報等に開示される、加熱によって溶融する固形タイプのインクを用いて画像を記録するインクジェットプリンタを利用して、無色のインクで上記のように透明コート層１４を形成する方法が例示される。
【００４２】
あるいは、公知の手段によって、写真プリント１２（記録媒体）の画像記録面に熱可塑性樹脂からなる平坦な透明コート層を形成し、加熱した針によって凹部を形成することにより、指定された領域に指定された素材に対応する凹凸を有する透明コート層１４を形成してもよい。凹部の形成方法は、例えば、ＩＢＭ社による情報記録技術である「ミリピード（Ｍｉｌｌｉｐｅｄｅ）  」を応用すればよい。
【００４３】
なお、透明コート層１４の厚さには、特に限定はなく、透明コート層１４の形成材料等に応じて、画像の観察を妨害しない厚さとすればよい。
【００４４】
以下、プリントシステム２０の作用を説明することにより、本発明のハードコピー作成方法について、より詳細に説明する。
【００４５】
スキャナ２２のキャリア４２にフィルムＦがセットされ、操作開始の指示が入力されると、キャリア４２がフィルムＦを搬送して、最初に読み取るコマ（通常１コマ目）を所定の読取位置とする。
次いで、前述のように、光源３６が駆動して、Ｒ、ＧおよびＢの読取光を順次出射して、画像を粗に読み取るプレスキャンを行い、その後、セットアップ部６６からファインスキャンの読取条件が供給されると、再度、Ｒ、ＧおよびＢの読取光を順次出射して、ファインスキャンを行い、このコマの画像を読取部３４が読み取る。
１コマの読み取りが終了すると、キャリア４２がフィルムＦを搬送して、次のコマを読取位置に搬送し、同様に、このコマに対する画像読取を行い、フィルムＦの各コマを、１コマずつ、順次、読み取る。
【００４６】
読取部４６が読み取った画像信号は、アンプ４８が増幅した後、Ａ／Ｄ変換器５０がデジタルの画像信号に変換して、画像処理装置２４に送る。
画像処理装置２４では、まず、信号処理部５８が、供給された画像信号に暗時補正等の所定の補正処理を施した後に、ｌｏｇ変換してデジタルの画像データとし、プレスキャンデータはｐＦＭ６０に、ファインスキャンデータはｆＦＭ６２に、それぞれ、記憶させる。
【００４７】
ｐＦＭ６０にプレスキャンデータが記憶されると、セットアップ部６６が読み出し、画像解析を行って、ファインスキャンの読取条件を設定してスキャナ２２に送り、また、このコマ（画像）に対する画像処理条件を設定して、検定処理部６８および画像処理部７０に設定する。
また、高品位プリント１０を作成する場合には、セットアップ部６６は、領域抽出を行って画像を構成する構成体を抽出し、その位置情報を生成する。なお、構成体の抽出は、オペレータによる切り出し等に応じて行ってもよいのは、前述のとおりである。
【００４８】
画像処理条件が設されると、検定処理部６８はｐＦＭ６０からプレスキャンデータを読み出して画像処理を施し、検定画像データとしてデータ変換部７２に送る。データ変換部７２は、供給された検定画像データを表示用の画像データに変換して、ディスプレイ１８に検定画像として表示させる。
【００４９】
検定画像が表示されると、オペレータによる検定が行われ、必要に応じて画像の修正（画像処理条件の修正）が行われる。なお、検定は、ＧＵＩ等を用いた公知の方法で行われ、検定による画像の修正に応じて、セットアップ部６６は、検定処理部６８および画像処理部７０における画像処理条件を変更する。
【００５０】
また、高品位プリント１０を作成する場合には、検定に引き続き、画像を構成する構成体の素材が指定される。
一例として、画像が、木製の台８４に、表面に布が張られた直方体８６が載置された、図５に示されるような画像であったとする。これに応じて、オペレータによって、例えばマウス３２ｂによってクリックで台８４が指定され、次いで、台８４の素材として木調素材が選択・指定され、同様にして、直方体８６が指定され、その素材として布調素材が指定されたとする。なお、構成体や素材の指定は、ＧＵＩ等の公知の手段で行えばよく、また、素材の指定は、必ずしも全ての構成体について行われる必要はないのは、前述のとおりである。
【００５１】
ここで、本発明を実施するプリントシステム２０においては、素材を指定された構成体（領域）は、素材を指定したことをオペレータが容易に確認できるように、抽出結果を利用して、検定画像の表示状態も変更するのが好ましい。
具体的には、各種の素材に応じて、ディスプレイ３０の表示画像で素材の質感を表現するためのテクスチャ情報をテーブル化して持っておき、素材指定に応じて、対応する領域において、より強く質感を表現するように画像のテクスチャを変更する方法が、好ましく例示される。
あるいは、これ以外にも、素材を指定された構成体のエッジ部を太くする、同エッジ部に色を付ける、同構成体の色を変える、同構成体を点滅する等の方法で、強調表示するように画像を変更してもよい。
【００５２】
検定ＯＫで、さらに素材指定が終了したら、このコマの出力指示が行われて、このコマに対する画像処理条件が決定し、引き続いて、次の画像（次コマ）の検定に移行する。
また、セットアップ部６６は、出力指示に応じて、台８４の位置情報と木調素材である情報とを対応付けし、さらに、直方体８６の位置情報と布調素材である情報とを対応付けして、透明コート層１４の形成情報として透明コート層形成手段２８に送る。
【００５３】
検定ＯＫによる出力指示に応じて、画像処理部７０が対応するコマのファインスキャンデータを読み出し、決定した画像処理条件に応じて画像処理を行い、出力画像データとしてデータ変換部７４に送る。
データ変換部７４は、この出力画像データを変換してプリンタ２６による画像記録に対応する画像データに変換して、プリンタ２６に送る。
【００５４】
データ変換部７４から画像データを供給されたプリンタ２６は、焼付機において、この画像データに応じて変調した光ビームで感光材料を二次元的に走査露光して潜像を形成し、次いで、現像機において、露光済みの感光材料に所定の湿式現像処理を施し、乾燥して、写真プリント１２として出力する。
【００５５】
高品位プリント１０を作成する場合には、プリンタ２６が出力した写真プリント１２は、透明コート層形成手段２８に供給される。
【００５６】
写真プリント１２が供給されると、透明コート層供給手段２８は、セットアップ部６６から供給された透明コート層１４の形成情報に応じて、データテーブル８０から対応する素材の凹凸形状データ、図示例においては、木調素材および布調素材の凹凸形状データを読み出す。
さらに、透明コート層供給手段２８は、透明コート層１４の形成情報に応じて、写真プリント１２上における台８４の領域には木彫素材の凹凸形状の透明コート層８４を形成し、同直方体８６の領域には布調素材の凹凸形状の透明コート層８４を形成して、（仕上り）高品位プリント１０として出力する。
なお、透明コート層１４の形成情報と写真プリント１２との対応付けは、例えば、形成情報および写真プリント１２の供給順で対応付けを行う方法、ＩＤ情報を形成情報に付与すると共に、このＩＤ情報を写真プリントの裏面に記録して透明コート層供給手段２８で読み取って対応付けする方法等、公知の方法で行えばよい。
【００５７】
以上、本発明のハードコピーの作成方法について、詳細に説明したが、本発明は上述の例に限定はされず、本発明の要旨を逸脱しない範囲において、各種の改良や変更を行ってもよいのは、もちろんである。
【００５８】
例えば、図示例においては、デジタルフォトプリントシステムで出力した写真プリント１２に、透明コート層形成手段で透明コート層１４を形成して、高品位プリント１０としている。
しかしながら、本発明は、これに限定はされず、前述のように、基となる記録媒体は、写真プリント以外にも、印刷物やインクジェットで画像を記録されたプリント等、各種のものが利用可能であり、また、画像をインクジェットで記録し、かつ、透明コート層もインクジェットによって形成する等、画像記録と透明コート層の形成とを、同一の方法で行ってもよい。
さらに、画像記録と透明コート層の形成とを、同一の方法で行う場合には、別途、透明コート層形成手段を設けることなく、例えば、１台のインクジェットプリンタで画像記録と透明コート層の形成とを行い、本発明の作成方法によるハードコピーを作成してもよい。
【００５９】
【発明の効果】
以上、詳細に説明したように、本発明によれば、画像を構成する構成体の質感を好適に表現した、高品位なハードコピーを作成することができる。
【図面の簡単な説明】
【図１】本発明によるハードコピー（高品位プリント）の一例を模式的に示す断面図である。
【図２】本発明のハードコピー作成方法の一例を実施するデジタルフォトプリンとシステムの一例のブロック図である。
【図３】図２に示されるデジタルフォトプリントシステムのスキャナの概念図である。
【図４】図２に示されるデジタルフォトプリントシステムの画像処理装置のブロック図である。
【図５】本発明のハードコピー作成方法を説明するための模式図である。
【符号の説明】
１０  高品位プリント
１２  写真プリント
１４  透明コート層
２０  （デジタル）フォトプリトシステム
２２  スキャナ
２４  画像処理装置
２６  プリンタ
２８  透明コート層形成手段
３０  ディスプレイ
３２  操作系
３６  光源
３８  ドライバ
４０  拡散ボックス
４２  キャリア
４４  結像レンズユニット
４６  読取部
４８  アンプ
５０  Ａ／Ｄ変換器
５２  搬送ローラ対
５４，５６  マスク
５８  信号処理部
６０  ｐＦＭ（プレスキャンメモリ）
６２  ｆＦＭ（ファインスキャンメモリ）
６４  入力処理部
６６  セットアップ部
６８  検定処理部
７０  画像処理部
７２，７４  データ変換部
８０  データテーブル
８４  台
８６  直方体
【図１】
2004181743.tif 000003
【図２】
2004181743.tif 000004
【図３】
2004181743.tif 000005
【図４】
2004181743.tif 000006
【図５】
2004181743.tif 000007